(57)【特許請求の範囲】
【請求項１】
両端面に開口された収納空間を有する筒で構成され、その開口は、束ねた状態のコードを挿入しうる程度の大きさであって、前記収納空間の内径と略同じ径の大きさを有し、前記筒の内周面の前記開口至近位置にコード挟持部が備えられていることを特徴とするコード収納具。
【請求項２】
コード挟持部は、筒の内周面の一部に筒内方に開口するほぼ円弧状に形成されている
ことを特徴とする請求項１に記載のコード収納具。
【請求項３】
筒の外周面にクリップ装着溝が形成されていることを特徴とする請求項１又は２に記載のコード収納具。
【発明の詳細な説明】
【技術分野】
【０００１】
本発明は、電気機器に電源を供給するためのコード、電気機器同士を電気的に接続するためのコードやケーブルなど(以下、コードという。)の必要以上の長さ、すなわち余分な長さ部分を収納するコード収納具に関する。
【背景技術】
【０００２】
上記コードは、使用目的により種々の長さを有するが、最低１ｍ以上はあるので、余分な長さ部分が生じることがある。
【０００３】
従来は、このようなコードの余分な長さ部分は、手で纏めて結束具で結束するか、自然状態に放置していた。
【発明の開示】
【発明が解決しようとする課題】
【０００４】
結束具で纏めたコードも、自然状態に放置したコードも、そのコードの弾力により配線位置が自ずと決まる。
その結果、時間の経過とともに、コードにゴミが溜まり、コードも汚れる。そして、ゴミや汚れは、トラキング現象を発生させる虞がある。また、余分なコードは、床に放置すれば、歩行者の足を引っ掛ける危険性がある。また、コードは目的に応じて複数本が用いられることがあるので、配線状態が混乱し易い。さらに、従来のコードには名称や記号が記載されていないので、コードを辿ることにより、目的のコードを探している。加えて、余分なコードは、纏まりが無く、環境美観を損ねる。
【０００５】
本発明は、上記の問題を解消するためになされたものであり、コードの余分な長さ部分を簡単に収納することができ、収納後のコードの固定及び長さ調整が容易にできるコード収納具を提供することを目的とする。
【課題を解決するための手段】
【０００６】
上記目的を達成するため、本発明によるコード収納具は、両端面に開口された収納空間を有する筒で構成され、その開口は、束ねた状態のコードを挿入しうる程度の大きさであって、前記収納空間の内径と略同じ径の大きさを有し、その筒の内周面の前記開口至近位置にコード挟持部が備えられていることを特徴としている（請求項１）。
【０００７】
コード挟持部は、筒の内周面の一部に筒内方に開口するほぼ円弧状に形成されている
ことが望ましい（請求項２）。
【０００８】
筒の外周面にクリップ装着溝が形成されていることが望ましい（請求項３）。
【発明の効果】
【０００９】
請求項１の発明によれば、コード収納具は両端面に開口された収納空間を有する筒で構成され、その開口は、束ねた状態のコードを挿入しうる程度の大きさであって、前記収納空間の内径と略同じ径の大きさを有し、その筒の内周面の前記開口至近位置にコード挟持部が備えられているものであるから、コードの余分な長さ部分を束ねて簡単に収納することができ、かつ、収納したコードの束から延びる部分をコード挟持部に差し込むか、引き出すかすることにより、収納後のコードの固定及び長さ調整が容易にできるコード収納具を提供することができる。
【００１０】
請求項２の発明によれば、収納後のコードの固定及び長さ調整が容易にできる。
【００１１】
請求項３の発明によれば、固定クリップをコード収納具に装着することにより、コード収納具を必要な位置に固定したり、複数個のコード収納具を任意の位置に配列したりすることができ、また、ストッパクリップを装着することにより、コード収納具をラック又はデスクなどの所定位置に固定することができる。
【発明を実施するための形態】
【００１２】
以下、本発明の実施の形態について図面を参照しながら説明する。
【００１３】
図１に示すように、本発明に係るコード収納具１は、両端面に束ねた状態のコードを挿入しうる大きさに開口された収納空間を有する筒で構成されている。
【００１４】
従って、図３に示すように、コード４の余分な長さ部分を手で円形コイル状に纏めた後、円の中心の互いに反対側の部分を互いに接近させて扁平ループ状のコード束４Ｌを形成し、そのコード束４Ｌをコード収納具１のいずれか一方の開口からそのコード収納具１の中に押し込んで簡単に収納することができる。
【００１５】
コード束４Ｌは、一般的に弾力を有するので、コード収納具１に収納されたときに、コード収納具１の内周面を押すため、コード束４Ｌにコード収納具１の開口の外側から力を与えない限り、コードはコード収納具１から抜けない。すなわち、コードの余分な長さ部分は、短縮された状態でコード収納具１内に収納される。
【００１６】
コード収納具１の内周面の開口至近位置には、図２に示すように、コード挟持部２が備えられている。このコード挟持部２は、好ましくは、筒の内周面の一部に筒内方に開口するほぼ円弧状に形成されている。従って、コード収納具１に収納されたコード４の扁平ループ部４Ｌからコード収納具１の開口の外側方向に延びる部分をコード挟持部２に挟み込むことにより固定することができる。
【００１７】
従って、コード収納具１内に収納された余分な長さのコードが不要に抜けて出てくることが防止される。
【００１８】
また、好ましい実施の形態においては、コード収納具１の外周面に環状のクリップ装着溝３が形成されている。
【００１９】
このクリップ装着溝３には、図４に示すように、固定クリップ５を嵌合して装着することができる。固定クリップ５は、電化製品やラックに固定することができるものである。このような固定クリップ５をコード収納具１に装着することにより、コード収納具１を必要な位置に固定したり、複数個のコード収納具１を任意の位置に配列することができる。
【００２０】
また、図５に示すように、クリップ装着溝３にストッパクリップ６を嵌合して装着することにより、ラック又はデスクなどの板７に形成した貫通孔７ａにコード収納具１を差し込んだときに、ストッパクリップ６によりコード収納具１をラック又はデスクなどの所定位置に固定することができる。
【００２１】
コード収納具１に扁平ループ部４Ｌが収納されたコード４は、図３（ａ）に示すように、一方側の端部４ａを一方の開口から出し、他方側の端部４ｂを他方の開口から出すように収納することもできるし、図３(ｂ)に示すように、両端部４ａ、４ｂを一方の開口から出すように収納することもできる。
【００２２】
そして、使用するコードの長さを調整したいときは、コードをコード挟持部２から外し、コード収納具１から延び出しているコードを引っ張るだけで、簡単に長さ調整ができる。また、長さ調整をした後にコードを固定したいときは、そのコードをコード挟持部２に差し込むだけで、簡単に固定できる。
【図面の簡単な説明】
【００２３】
【図１】本発明に係るコード収納具の斜視図である。
【図２】同コード収納具のコード挟持部を拡大して示す部分平面図である。
【図３】同コード収納具の使用態様を示す斜視図である。
【図４】同コード収納具にクリップを装着する例を示す斜視図である。
【図５】同コード収納具をデスクなどに固定する例を示す斜視図である。
【符号の説明】
【００２４】
１    コード収納具
２    コード挟持部
３    クリップ装着溝
４    コード
５    固定クリップ
６    ストッパクリップ
７    ラック又はデスク類の板
【図１】
0004857169.tif 000002
【図２】
0004857169.tif 000003
【図３】
0004857169.tif 000004
【図４】
0004857169.tif 000005
【図５】
0004857169.tif 000006